(57)【要約】【課題】  検査工程で発見された検査情報を、１検査項目毎に複数であっても自動的に記憶させておくことができる車両の検査管理システムを提供すること。【解決手段】  車両を製造するラインで使用し、車両の検査項目を記憶する検査マスタデータベースを備えたサーバ２と、このサーバ２とはＬＡＮを介して通信を行い、複数の検査工程で使用される検査用端末５、マスタ管理端末等とからなる車両の検査管理システムにおいて、前記検査用端末５は検査画面を表示する表示手段と、この検査画面に表示されている特定ボタンが操作されると特定の入力画面を表示する表示手段と、この入力画面より１つの検査項目に対して検査コードを入力する入力手段と、この入力手段で入力された検査項目毎の検査コードを該当車両の検査完了時に前記サーバ２に送信する送信手段を具備し、前記サーバは前記検査用端末から送信される検査項目毎の検査コードを記憶手段１２に記憶させるようにした。【選択図】      図１
2005297894.tif 000002
【特許請求の範囲】
【請求項１】
車両を製造するラインで使用し、車両の検査項目を記憶する検査マスタデータベースを備えたサーバと、このサーバとはＬＡＮを介して通信を行い、複数の検査工程で使用される検査用端末、マスタ管理端末等とからなる車両の検査管理システムにおいて、
前記検査用端末は検査画面を表示する表示手段と、
この検査画面に表示されている特定ボタンが操作されると特定の入力画面を表示する表示手段と、
この入力画面より１つの検査項目に対して検査コードを入力する入力手段と、
この入力手段で入力された検査項目毎の検査コードを該当車両の検査完了時に前記サーバに送信する送信手段を具備し、
前記サーバは前記検査用端末から送信される検査項目毎の検査コードを記憶手段に記憶させるようにしたことを特徴とする車両の検査管理システム。
【請求項２】
前記検査画面には部品イメージリスト及び検査ポイントを入力するポイント入力手段が表示され、
このポイント入力手段が操作されると、部品イメージリストから選択された部品イメージデータを表示する部品イメージデータ表示手段と、
この部品イメージデータに検査箇所を指定する指定手段と、
この指定手段により指定された検査箇所を部品イメージ上に表示させる検査箇所表示手段とを具備したことを特徴とする請求項1記載の車両の検査管理システム。
【請求項３】
前記部品イメージ上に表示させる検査箇所は前記検査コードと共に前記サーバに送信され、１検査項目毎に記憶されることを特徴とする請求項２記載の車両の検査管理システム。
【発明の詳細な説明】
【技術分野】
【０００１】
本発明は、車両の製造ラインにおける車両の検査管理システムに関する。
【背景技術】
【０００２】
従来、自動車を製造するラインでは、車両に対して複数の検査工程を設定し、それぞれの検査工程において、検査データをホストコンピュータからパソコンにダウンロードし、オペレータはこの検査データに基づいて検査を行い、その結果をパソコンに入力してホストコンピュータに送信するもの、また、検査の最初に各工程で検査に必要に基準データをバーコードで印刷した検査指示票を発行して車両に添付し、第1の工程で該当するバーコードを読み取って基準データを得、この基準データに基づいて検査を行って、その結果をバーコードラベルとして発行し、このバーコードラベルを検査指示票に貼って車両とともに次の工程へ移動させるものが知られている（例えば、特許文献１参照）。
【特許文献１】特開２００２−１２１７７号公報
【発明の開示】
【発明が解決しようとする課題】
【０００３】
この検査指示票に沿って検査を行った結果、問題が発見された場合には、検査指示票中の限られたスペースにその内容を記入していたため、具体的な記述が不可能であった。
【０００４】
また、一つの検査項目に対して複数の問題があった場合にはなおさらそれらの内容を記入すること不可能であった。
【０００５】
また、問題が発見された場合、後の工程である手直し工程にその問題が発生した箇所、つまり検査ポイントを記入して残しておくことが望まれる。
【０００６】
本発明は、上記の点に鑑みてなされたもので、その目的は、検査工程で発見された問題情報を、１検査項目毎に複数であっても自動的に記憶させておくことができる車両の検査管理システムを提供することにある。
【課題を解決するための手段】
【０００７】
請求項１記載の発明は、車両を製造するラインで使用し、車両の検査項目を記憶する検査マスタデータベースを備えたサーバと、このサーバとはＬＡＮを介して通信を行い、複数の検査工程で使用される検査用端末、マスタ管理端末等とからなる車両の検査管理システムにおいて、前記検査用端末は検査画面を表示する表示手段と、この検査画面に表示されている特定ボタンが操作されると特定の入力画面を表示する表示手段と、この入力画面より１つの検査項目に対して検査コードを入力する入力手段と、この入力手段で入力された検査項目毎の検査コードを該当車両の検査完了時に前記サーバに送信する送信手段を具備し、前記サーバは前記検査用端末から送信される検査項目毎の検査コードを記憶手段に記憶させるようにしたことを特徴とする。
【０００８】
請求項２記載の発明は、請求項1の検査画面には部品イメージリスト及び検査ポイントを入力するポイント入力手段が表示され、このポイント入力手段が操作されると、部品イメージリストから選択された部品イメージデータを表示する部品イメージデータ表示手段と、この部品イメージデータに検査箇所を指定する指定手段と、この指定手段により指定された検査箇所を部品イメージ上に表示させる検査箇所表示手段とを具備したことを特徴とする。
【０００９】
請求項３記載の発明は、請求項２記載の前記部品イメージ上に表示させる検査箇所は前記検査コードと共に前記サーバに送信され、１検査項目毎に記憶されることを特徴とする。
【発明の効果】
【００１０】
請求項１記載の発明によれば、１検査項目毎に複数の検査コードを記憶させておくことができるので、後工程に正確な検査情報を伝達することができる。  
請求項２記載の発明によれば、検査箇所をイメージデータとして記憶させておくようにしたので、後工程に正確な検査情報を伝達することができる。
【００１１】
請求項３記載の発明によれば、１検査項目毎に検査コード及び検査ポイントを残しておくようにしたので、後工程に正確な検査情報を伝達することができる。
【発明を実施するための最良の形態】
【００１２】
以下図面を参照して本発明の一実施の形態について説明する。図１は車両の検査管理システムの構成を示す図である。図において、１は車両の製造ラインに配置されたＬＡＮである。このＬＡＮ１には、サーバ２、マスタ管理端末３、複数のアクセスポイント４が接続されている。そして、各アクセスポイント４は近傍にモバイル端末である検査用端末としての検査用携帯端末５と無線通信するようになっている。
【００１３】
検査用携帯端末５は、検査するオペレータ６が所持し、製造ラインにおいて所定の工程が終了する毎にその工程で車７に組み込まれた複数の検査対象部位や部品の検査をこの検査用携帯端末５に操作して行うようになっている。
【００１４】
前記サーバ２は、検査マスタデータベース１１や検査結果データベース１２を設けている。この検査マスタデータベース１１には、検査ジョブ、検査コードリスト及び部品イメージデータが記憶される。ここで、検査ジョブとは検査項目と検査部位の紐付けを意味し、検査項目は検査対象と検査内容の紐付けを意味する。部品イメージデータは車両の内外のイメージデータを示し、検査をする必要が発生した場合にはこの部品イメージを検査用携帯端末５に表示させ、この部品イメージに検査ポイントをプロットするようにしている。
【００１５】
また、サーバ２には、各種業務アプリケーション１３が記憶されている。例えば、図７のフローチャートに示す処理を検査用携帯端末５に行なうプログラムが記憶されている。
【００１６】
前記検査結果データベース１２には、実際に行われた検査結果が記憶される。
【００１７】
前記サーバ２は、図２に示すように、制御部本体を構成するＣＰＵ(中央処理ユニット)２ １、このＣＰＵ２１が各部を制御するプログラムデータを格納したＲＯＭ（リード・オンリ・メモリ）２２、前記ＣＰＵ２１やデータ送信時やデータ受信時、データ処理時等において一時的に使用するメモリを設けたＲＡＭ（ランダム・アクセス・メモリ）２３、前記検査マスタデータベース１１や前記検査結果データベース１２を設けるとともに業務アプリケーションプログラムを格納したハードディスク装置２４、ＬＡＮ１を介して前記マスタ管理端末３とデータのやり取りを行うとともにＬＡＮ１及びアクセスポイント４を介して前記検査用携帯端末５とデータのやり取りを行う通信部２５、キー入力やインジケータの表示等を行うための操作部２６を設け、これらバスライン２７によって互いに電気的に接続している。
【００１８】
前記マスタ管理端末３は製造ラインの管理者が操作する端末で、図３に示すように、制御部本体を構成するＣＰＵ３１、このＣＰＵ３１が各部を制御するプログラムデータを格納したＲＯＭ３２、前記ＣＰＵ３１がデータ送信時やデータ受信時、データ処理時等において一時的に使用するメモリや小容量のデータを格納するメモリ等を設けたＲＡＭ３３、ＬＡＮ１を介して前記サーバ２とデータのやり取りを行う通信部３４、作業の実行の為の各種キーを設けたキーボード３５、データ表示等を行う液晶等のディスプレイ３６、必要なデータを印字出力する為のプリンタ３７、大容量のデータを格納する為のハードディスク装置３８を設け、これらをバスライン３９によって互いに電気的に接続している。
【００１９】
前記携帯端末５は、図４に示すように、制御部本体を構成するＣＰＵ５１、このＣＰＵ５１が各部を制御するプログラムデータを格納したＲＯＭ５２、前記ＣＰＵ５１がデータ送信時やデータ受信時、データ処理時等において一時的に使用するメモリや小容量のデータを格納するメモリ等を設けたＲＡＭ５３、データ表示や各種情報の入力画面表示等を行う液晶ディスプレイ５４、この液晶ディスプレイ５４の上に載置され、この液晶ディスプレイ５４に表示された入力画面における情報入力を行うためのタッチパネル５５、前記アクセスポイント４と無線通信によってデータのやり取りを行う無線通信部５６を設け、これらをバスライン５７によって互いに電気的に接続している。
【００２０】
次に、上記のように構成された本発明の一実施の形態の動作について図５及び図６のフローチャートを参照してながら説明する。まず、管理者は、マスタ管理端末３より、製造される自動車個々に対して、各工程においてどの部位や部品に対してどのような検査を行うかの検査情報を入力する。この結果、検査情報は検査ジョブとしてサーバ２の検査マスタデータベース１１に送信される。
【００２１】
次に、検査用携帯端末５は、サーバ２から送信された検査ジョブに基づいて検査画面を液晶ディスプレイ５４に表示する（ステップＳ１）。そして、その検査画面に各工程の検査結果を入力する。
【００２２】
つまり、検査画面には、１検査項目毎に特定ボタンとしての「ＮＧ」ボタン、「ＯＫ」ボタンが併設される。
【００２３】
オペレータは検査画面に表示されている検査対象部位に対して検査を行う。この検査の
結果、問題が無いと判定した場合には、オペレータは「ＯＫ」ボタンを押下げする。この検査の結果、問題があると判明した場合には、オペレータは「ＮＧ」ボタンをクリックする。
【００２４】
ステップＳ２において、「ＮＧ」ボタンが押されたかを判定している。オペレータが「ＮＧ」ボタンを操作した場合には、ステップＳ２の判定で「ＹＥＳ」と判定されて、ステップＳ３に進む。このステップＳ３において、検査用携帯端末５の液晶ディスプレイ５４には特定の入力画面としての検査現象入力モードの画面が表示される。
【００２５】
この検査現象入力モードの画面には、検査対象、検査内容、検査部位、基準、測定値等のデータが表示されると共に、検査現象を登録する検査現象登録ウインドウが表示される。この検査現象登録ウインドウには、検査現象、検査部位、発生状況、手書きメモ、ポイント（発生箇所をポイントで示すもの）が表示される。検査現象、検査部位、発生状況はコード化されている。そして、検査現象の具体的内容は、ウインドウに検査現象の候補がリストアップされている。例えば、検査現象として「−」「多い」「少ない」「調整不良」「調整未」がリストアップされている。「−」は「多い」「少ない」「調整不良」「調整未」には該当しない場合である。また、このウインドウには検査部位の候補がリストアップされている。この実施の形態ではウインドウには、「−」だけ表示されている。これは、検査部位の候補がリストアップされていないことを意味する。
【００２６】
さらに、別のウインドウには、発生状況の候補がリストアップされている。例えば、「−」「２次検査」「Ｅ／Ｇ始動時」…等がリストアップされている。
【００２７】
オペレータは、検査現象登録ウインドウの各項目（検査現象、検査部位、発生状況、…）に該当する内容を前述したウインドウに表示されている候補から選択し、追加ボタンを押すことにより、検査現象を登録するようにしている。
【００２８】
つまり、追加ボタンが押されたかが判定され（ステップＳ４）、追加ボタンが押されたと判定されると、検査情報（検査現象、検査部位、発生状況）が検査現象登録ウインドウに入力される。このように、追加ボタンを押すことにより複数のコード化された検査情報を設定することができる。
【００２９】
ところで、この検査現象入力モードの画面の右側中央部には、手書きメモを入力するための入力ボタン及び検査ポイントを入力するための入力ボタンが表示されている。
【００３０】
さらに、入力ボタンの下側に検査ポイントを入力する部品イメージリストが表示されている。このリストで「ＭＰＩ  Ｅ／Ｇ」「前」「右後」…というようにイメージを表示させたい車両の部位を選択する。そして、このリストでその部位を選択すると、指定された部品イメージをサーバ２が送信するように要求を出力する。この要求に対してサーバ２から送信された部品イメージが表示される。
【００３１】
つまり、検査ポイント入力ボタンが押されたかが判定される（ステップＳ６）。このステップＳ６で「ＹＥＳ」と判定された場合には、部品イメージリストで選択された部位の部品イメージが表示された検査ポイント入力画面７０が図８に示すように表示される（ステップＳ７）。
【００３２】
すると、オペレータはこの検査ポイント入力画面７０に検査ポイントをタッチペン等で入力する。すると、検査ポイントが入力されたかが判定されるステップＳ８において「ＹＥＳ」と判定されて、検査ポイントが「×」印で表示されるとともに、検査ポイントの座標がＲＡＭ５３に記憶される（ステップＳ９）。
【００３３】
次に、ＯＫボタン７１が押されたかが判定される（ステップＳ１０）。オペレータがＯＫボタン７１を押さなければ、ステップＳ１０で「ＮＯ」と判定されるため、ステップＳ７に戻り、再度他の検査ポイントを入力されることができる。つまり、１つの検査項目に対して複数の検査ポイントを入力させることができる。
【００３４】
一方、オペレータがＯＫボタン７１を押すと、ステップＳ10で「ＹＥＳ」と判定されるため、前述したステップＳ3の処理に戻る。
【００３５】
ところで、ステップＳ６において「ＮＯ」と判定された場合には、手書きメモ入力ボタンが押されたかが判定される。オペレータが手書きメモ入力ボタンを押した場合には、図９に示すような手書きメモ入力画面７３が表示されると共に、それらのイメージデータがＲＡＭ５３に記憶される（ステップＳ１２）。
【００３６】
そして、オペレータはペン入力により例えばナットの図を入力し、「→」で検査が発生した箇所を記す。
【００３７】
そして、ＯＫボタン７４が押されたかが判定される（ステップＳ１３）。このステップＳ１３において、「ＹＥＳ」と判定されると、前述したステップＳ３に戻り、検査入力表示画面が表示される。
【００３８】
そして、ステップＳ４に進み、追加ボタンが押されなければ、このステップＳ４で「ＮＯ」と判定されて登録ボタンが押されたかが判定される（ステップＳ１４）。このステップＳ１４の処理で「ＹＥＳ」と判定されると、サーバ2に検査情報が送信される（ステップＳ１５）。この検査情報は検査入力表示画面から入力された検査情報、検査ポイント入力画面７０から入力された検査ポイントの情報、手書きメモ入力画面７３の情報である。検査入力表示画面から入力された検査情報は全てコード化されている情報である。
【００３９】
ところで、サーバ２は検査用携帯端末５から部品イメージを送信する要求が有るかを判定する（ステップＳ２１）。そして、このステップＳ２１で「ＹＥＳ」と判定された場合には、その携帯端末５に部品イメージを送信する（ステップＳ２２）。
【００４０】
さらに、携帯端末５から送信される検査情報を受信したかが判定される（ステップＳ２３）。このステップＳ２３で「ＹＥＳ」と判定された場合には、検査項目毎にそれらの検査情報を検査結果データベース１２に記憶する（ステップＳ２４）。
【００４１】
以上のように、検査項目毎に検査をコードとして記憶すると共に、検査の発生した箇所を視覚的に分かるようにイメージデータ上でポイントで指定するようにしたので、手直し工程で使用する携帯端末に対してこれらの情報を送信することにより、その工程での手直しをスムーズに行うことができる。
【００４２】
さらに、検査項目毎に手書きにより検査箇所を入力することができるので、一層分かりにくい検査箇所を正確に記憶させておくことができる。
【００４３】
なお、上記実施の形態では、検査用携帯端末５からサーバ２に対して部品イメージを送信する要求を出力するようにしていたが、これに限らず、検査用携帯端末５に部品イメージデータを記憶しておけば、サーバ２に送信要求を出力しなくても良いようにすることができる。
【００４４】
さらに、この実施の形態では、検査用端末として検査用携帯端末を使用し、サーバ２とアクセスポイント４を介して無線通信方式で通信を行うものについて述べたが必ずしもこれに限るものではなく、サーバ２とＬＡＮによって設定された設置式の検査用端末を使用しても良い。
【図面の簡単な説明】
【００４５】
【図１】本発明の一実施の形態に係わる車両の検査管理システムの構成を示す図。
【図２】同実施の形態におけるサーバのハード構成を示すブロック図。
【図３】同実施の形態におけるマスタ管理端末のハード構成を示すブロック図。
【図４】同実施の形態における検査用携帯端末のハード構成を示す図。
【図５】同実施の形態における検査用携帯端末の処理を説明するためのフローチャートの一部。
【図６】同実施の形態における検査用携帯端末の処理を説明するためのフローチャートの一部。
【図７】同実施の形態におけるサーバの処理を説明するためのフローチャート。
【図８】同実施の形態における検査ポイント入力画面を示す図。
【図９】同実施の形態に係わる手書きメモ入力画面を示す図。
【符号の説明】
【００４６】
１…ＬＡＮ、２…サーバ、３…マスタ管理端末、４…アクセスポイント、
５…検査用携帯端末、１１…検査マスタデータベース。
【図１】
2005297894.tif 000003
【図２】
2005297894.tif 000004
【図３】
2005297894.tif 000005
【図４】
2005297894.tif 000006
【図５】
2005297894.tif 000007
【図６】
2005297894.tif 000008
【図７】
2005297894.tif 000009
【図８】
2005297894.tif 000010
【図９】
2005297894.tif 000011